(57)【要約】【課題】D/Aコンバータの面積を減らしてデータ駆動部の大きさを小さく具現するようにした有機電界発光表示装置及びその駆動回路を提供する。【解決手段】画素部、データ駆動部及び走査駆動部を含む有機電界発光表示装置において、前記データ駆動部は、データ信号に対応して第1選択信号を生成する第1デコーダと、第1バスから複数の第1電圧の伝達を受けて第2バスから複数の第2電圧の伝達を受けて前記データ信号に対応して前記第1電圧または第2電圧選択する第1スイッチ部と、前記第1選択信号によって前記選択された第1電圧または前記第2電圧から複数の第1基準電圧と第2基準電圧を選択する第2スイッチ部と、前記データ信号に対応して第2選択信号を生成する第2デコーダ部と、前記スイッチ部によって選択された前記第1基準電圧または前記第2基準電圧の伝達を受けて分配して複数の階調電圧を生成して、前記第2選択信号に対応して前記複数の階調電圧の中で一つの階調電圧を選択して出力する階調電圧生成部と、を含む。【選択図】図４
2007323038.tif 000002
【特許請求の範囲】
【請求項１】
画素部、データ駆動部及び走査駆動部を含む有機電界発光表示装置において、
前記データ駆動部は、
データ信号に対応して第1選択信号を生成する第1デコーダと、
第1バスから複数の第1電圧の伝達を受けて第2バスから複数の第2電圧の伝達を受けて前記データ信号に対応して前記第1電圧または第2電圧選択する第1スイッチ部と、
前記第1選択信号によって前記選択された第1電圧または前記第2電圧から複数の第1基準電圧と第2基準電圧を選択する第2スイッチ部と、
前記データ信号に対応して第2選択信号を生成する第2デコーダ部と、
前記スイッチ部によって選択された前記第1基準電圧または前記第2基準電圧の伝達を受けて分配して複数の階調電圧を生成して、前記第2選択信号に対応して前記複数の階調電圧の中で一つの階調電圧を選択して出力する階調電圧生成部と、
を含むことを特徴とする有機電界発光表示装置。
【請求項２】
前記データ信号は、
上位ビットと下位ビットに区分されて、前記上位ビットの中で最上位ビットによって前記第1バスまたは第2バスを選択するようにして、前記最上位ビットを除いた残りのビットを前記第1デコーダに伝達して前記第1選択信号を生成して、前記下位ビットは前記第2デコーダに伝達して前記第2選択信号を生成することを特徴とする請求項１に記載の有機電界発光表示装置。
【請求項３】
前記第1スイッチ部は、
前記データ信号の最上位ビットに対応して複数の第1基準電圧をスイッチングする第1トランジスタと、
前記データ信号の最上位ビットに対応して複数の第2基準電圧をスイッチングする第2トランジスタと、
を含むことを特徴とする請求項２に記載の有機電界発光表示装置。
【請求項４】
前記第2スイッチ部は、
前記第1選択信号によって前記第1または第2トランジスタを通じて伝達された第1基準電圧または第2基準電圧を前記階調電圧生成部に伝達する第3トランジスタを含むことを特徴とする請求項２に記載の有機電界発光表示装置。
【請求項５】
前記階調電圧生成部は、
複数の抵抗が直列連結された抵抗器と前記各抵抗の間に連結されて前記第2選択信号によってスイッチング動作を遂行するスイッチを含むことを特徴とする請求項１に記載の有機電界発光表示装置。
【請求項６】
データ信号に対応して第1選択信号を生成する第1デコーダと、
第1バスから複数の第1電圧の伝達を受けて第2バスから複数の第2電圧の伝達を受けて前記データ信号に対応して前記第1電圧または第2電圧を選択する第1スイッチ部と、
前記第1選択信号によって前記選択された第1電圧または前記第2電圧から複数の第1基準電圧と第2基準電圧を選択する第2スイッチ部と、
前記データ信号に対応して第2選択信号を生成する第2デコーダ部と、
前記スイッチ部によって選択された前記第1基準電圧または前記第2基準電圧の伝達を受けて分配して複数の階調電圧を生成して、前記第2選択信号に対応して前記複数の階調電圧の中で一つの階調電圧を選択して出力する階調電圧生成部を含むことを特徴とする駆動回路。
【請求項７】
前記データ信号は、
上位ビットと下位ビットに区分されて、前記上位ビットの中で最上位ビットによって前記第1バスまたは第2バスを選択するようにして、前記最上位ビットを除いた残りのビットを前記第1デコーダに伝達して前記第1選択信号を生成して、前記下位ビットは前記第2デコーダに伝達して前記第2選択信号を生成することを特徴とする請求項６に記載の駆動回路。
【請求項８】
前記第1スイッチ部は、
前記データ信号の最上位ビットに対応して複数の第1基準電圧をスイッチングする第1トランジスタと、
前記データ信号の最上位ビットに対応して複数の第2基準電圧をスイッチングする第2トランジスタと、
を含むことを特徴とする請求項７に記載の駆動回路。
【請求項９】
前記第2スイッチ部は、
前記第1選択信号によって前記第1または第2トランジスタを通じて伝達された第1基準電圧または第2基準電圧を前記階調電圧生成部に伝達する第3トランジスタを含むことを特徴とする請求項７に記載の駆動回路。
【請求項１０】
前記階調電圧生成部は、
複数の抵抗が直列連結された抵抗器と、
前記各抵抗の間に連結されて前記第2選択信号によってスイッチング動作を遂行するスイッチと、
を含むことを特徴とする請求項６に記載の駆動回路。
【請求項１１】
データ信号に対応して複数の第1電圧と複数の第2電圧を選択して、前記複数の第1電圧と前記複数の第2電圧の中で一つを選択する段階と、
前記選択された第1電圧または第2電圧の中で一つの第1基準電圧と一つの第2基準電圧を選択する段階と、
前記データ信号の下位ビットを利用して前記第1基準電圧と前記第2基準電圧を分配して階調電圧を生成してデータ線に伝達する段階と、
を含むことを特徴とする有機電界発光表示装置の駆動方法。
【請求項１２】
前記第1基準電圧の電圧が変化して前記第2基準電圧の電圧は変化しないことを特徴とする請求項１１に記載の有機電界発光表示装置の駆動方法。
【発明の詳細な説明】
【技術分野】
【０００１】
本発明は駆動回路及びこれを利用した有機電界発光表示装置に関し、より詳細には、アナログスイッチで発生する電圧降下を防止して線形性を高めるようにして階調誤差を減らすようにした駆動回路及びこれを利用した有機電界発光表示装置に関する。
【背景技術】
【０００２】
平板表示装置は、基板上にマトリックス形態で複数の画素を配置して表示領域にし、各画素に走査線とデータ線を連結して画素にデータ信号を選択的に印加してディスプレイをする。
【０００３】
平板表示装置は、画素の駆動方式に従ってパッシブ(Passive)マトリックス型発光表示装置とアクティブ(Active)マトリックス型発光表示装置に区分されて、解像度、コントラスト、動作速度の観点から単位画素ごとに選択して点燈するアクティブマトリックス型が主流になっている。
【０００４】
このような平板表示装置は、ＰＣ、携帯電話機、PDAなどの携帯情報端末の表示装置や各種情報器機のモニターとして使用されており、液晶パネルを利用したLCD、有機電界発光素子を利用した有機電界発光表示装置、プラズマパネルを利用したPDPなどが知られている。
【０００５】
最近、陰極線管に比べて重さと体積の小さい各種発光表示装置が開発されており、特に発光効率、輝度及び視野角がすぐれて応答速度の早い有機電界発光表示装置が注目されている。
【０００６】
図１は、一般的な有機電界発光表示装置の構造を示す構造図である。図１を参照して説明すれば、有機電界発光表示装置は画素部100、データ駆動部200、走査駆動部300を含む。
【０００７】
画素部100は、複数のデータ線D1、D2．．．Dm-1、Dmと複数の走査線S1、S2．．．Sn-1、Snを含んで、複数のデータ線D1、D2．．．Dm-1、Dmと複数の走査線S1、S2．．．Sn-1、Snによって定義される領域に形成される複数の画素を含む。
【０００８】
画素101は、画素回路と有機電界発光素子を含んで、画素回路から複数のデータ線D1、D2．．．Dm-1、Dmを通じて伝達されるデータ信号と、複数の走査線S1、S2．．．Sn-1、Snを通じて伝達される走査信号によって画素に流れる画素電流を生成して有機電界発光素子に流れるようにする。
【０００９】
データ駆動部200は、複数のデータ線D1、D2．．．Dm-1、Dmに連結されてデータ信号を生成して一行分のデータ信号を順次に複数のデータ線D1、D2．．．Dm-1、Dmに伝達する。そして、データ駆動部200は、D/Aコンバータを具備してデジタル信号をアナログ信号に転換した階調電圧を生成してデータ線D1、D2．．．Dm-1、Dmに伝達する。
【００１０】
走査駆動部300は、複数の走査線S1、S2．．．Sn-1、Snに連結されて走査信号を生成して複数の走査線S1、S2．．．Sn-1、Snに伝達する。走査信号によって特定の行が選択されて選択された行に位置する画素101にデータ信号が伝達されて画素にはデータ信号に対応する電流が生成される。
【００１１】
図２は、図１に示された有機電界発光表示装置のデータ駆動部に採用されたD/Aコンバータで階調電圧を生成する抵抗部を示す回路図である。
【００１２】
図２を参照して説明すれば、抵抗部は8個の階調電圧を生成させるものに仮定する。8個の階調電圧を生成するために8個の抵抗が直列連結されて、直列連結された抵抗の両端に高い電圧である第1基準電圧と低い電圧である第2基準電圧が伝達されて、第1基準電圧と第2基準電圧が8個の抵抗によって分配された電圧が階調電圧になる。
【００１３】
前述のように構成された有機電界発光表示装置は、駆動回路の大きさを小さく具現して有機電界発光表示装置の大きさを小さく具現することが好ましい。
【特許文献１】日本特許公開第２００１−２７２６５５号明細書
【特許文献２】日本特許公開第２００４−００４７８８号明細書
【発明の開示】
【発明が解決しようとする課題】
【００１４】
したがって、本発明は前記従来技術の問題点を解決するために創出されたもので、本発明の目的は、D/Aコンバータの面積を減らしてデータ駆動部の大きさを小さく具現するようにした駆動回路及びこれを利用した有機電界発光表示装置を提供することである。
【課題を解決するための手段】
【００１５】
前記目的を果たすための本発明の第1側面は、画素部、データ駆動部及び走査駆動部を含む有機電界発光表示装置において、前記データ駆動部は、データ信号に対応して第1選択信号を生成する第1デコーダ、第1バスから複数の第1電圧の伝達を受けて第2バスから複数の第2電圧の伝達を受けて前記データ信号に対応して前記第1電圧または第2電圧選択する第1スイッチ部、前記第1選択信号によって前記選択された第1電圧または前記第2電圧から複数の第1基準電圧と第2基準電圧を選択する第2スイッチ部、前記データ信号に対応して第2選択信号を生成する第2デコーダ部及び前記スイッチ部によって選択された前記第1基準電圧または前記第2基準電圧の伝達を受けて分配して複数の階調電圧を生成して、前記第2選択信号に対応して前記複数の階調電圧の中で一つの階調電圧を選択して出力する階調電圧生成部を含む。
【００１６】
前記目的を果たすための本発明の第2側面は、データ信号に対応して第1選択信号を生成する第1デコーダ、第1バスから複数の第1電圧の伝達を受けて第2バスから複数の第2電圧の伝達を受けて前記データ信号に対応して前記第1電圧または第2電圧選択する第1スイッチ部、前記第1選択信号によって前記選択された第1電圧または前記第2電圧から複数の第1基準電圧と第2基準電圧を選択する第2スイッチ部、前記データ信号に対応して第2選択信号を生成する第2デコーダ部及び前記スイッチ部によって選択された前記第1基準電圧または前記第2基準電圧の伝達を受けて分配して複数の階調電圧を生成して、前記第2選択信号に対応して前記複数の階調電圧の中で一つの階調電圧を選択して出力する階調電圧生成部を含む。
【００１７】
前記目的を果たすための本発明の第3側面は、データ信号に対応して複数の第1電圧と複数の第2電圧を選択して、前記複数の第1電圧と前記複数の第2電圧の中で一つを選択する段階、前記選択された第1電圧または第2電圧の中で一つの第1基準電圧と一つの第2基準電圧を選択する段階及び前記データ信号の下位ビットを利用して前記第1基準電圧と前記第2基準電圧を分配して階調電圧を生成してデータ線に伝達する段階と、を含む。
【発明の効果】
【００１８】
以上のように、本発明による駆動回路及びこれを利用した有機電界発光表示装置によれば、最上位ビットをアナログスイッチに連結されるようにし、アナログスイッチによって基準電圧を選択するようにしてD/Aコンバータの大きさを小さく具現することができる。
【発明を実施するための最良の形態】
【００１９】
以下、本発明の実施例を添付した図面を参照して説明する。
図３は、本発明による有機電界発光表示装置で採用されたデータ駆動部を示す構造図である。
【００２０】
図３を参照して説明すれば、データ駆動部200は、シフトレジスタ210、サンプリングラッチ220、ホルディングラッチ230、レベルシフタ240、D/Aコンバータ250及びバッファー部260を含む。
【００２１】
シフトレジスタ210は、複数のプリップフロップで構成されて、クロック信号CLKと同期信号Hsyncに対応してサンプリングラッチ220を制御する。サンプリングラッチ220は、シフトレジスタ210の制御信号によって一行分のデータ信号を順次に入力してもらい、並列的に出力する。
【００２２】
順次に入力を受けて並列的に出力する方式をSIPO(Serial  In  Parallel  Out)と言う。そして、ホルディングラッチ230は信号を並列的に入力してもらい、再度並列的に出力する。並列で入力を受けて並列に出力する方式をPIPO(Parallel  In  Parallel  Out)と言う。
【００２３】
レベルシフタ240は、ホルディングラッチ230から出力された信号をシステムの動作電圧にレベルを変更してD/Aコンバータ250に伝達する。
【００２４】
D/Aコンバータ250は、デジタル信号に伝達される信号をアナログ信号に伝達して該当階調電圧を選択してバッファー部260に伝達し、バッファー部260は階調電圧を増幅してデータ線に伝達する。
【００２５】
図４は、本発明によるD/Aコンバータの構造を示す構造図である。
図４を参照して説明すれば、D/Aコンバータ250は、第1デコーダ251、第1スイッチ部252、第2スイッチ部253、第2デコーダ254及び階調電圧生成部255を含む。
【００２６】
D/Aコンバータ250は、256階調を表現することを仮定して、D/Aコンバータ250に伝達されるデータ信号は8ビット信号で構成される。
【００２７】
第1デコーダ251は、8個の信号を生成するためにデータ信号の上位4ビットの中で最上位ビットを除いた3個のビットを利用して第1選択信号を生成する。そして、第1スイッチ部252は、総32個のトランジスタで構成されて左側から右側方向へ奇数番目にあるトランジスタは、ソースが第1バス線v11、v21．．．v91に連結されて、ゲートは最上位ビット信号の伝達を受けてドレインは第2スイッチ部253に連結される。そして、偶数番目にあるトランジスタは、ソースが第2バス線v12、v22．．．v92に連結されてゲートは最上位ビット信号の副信号の伝達を受けてドレインは第2スイッチ部253に連結される。この時、第1バス線v11、v21．．．v91と第2バス線はそれぞれ9個の第1電圧と9個の第2電圧を伝達して、データ信号の最上位ビットの信号によって第1バス線v11、v21．．．v91を通じて伝達される電圧と第2バス線v12、v22．．．v92を通じて伝達される電圧の中で一つの電圧が第1スイッチ部251を通じて第2スイッチ部252に伝達される。
【００２８】
すなわち、データ信号の最上位ビットに対応して第1バス線v11、v21．．．v91を通じて伝達される9個の電圧が順に奇数番目トランジスタを通じて第2スイッチ部252に伝達されて、偶数番目トランジスタは第1バス線v11、v21．．．v91を通じて伝達される最も低い電圧を第2スイッチング部に伝達する。
【００２９】
第2バス線v12、v22．．．v92と第1スイッチ部252は、第1バス線v11、v21．．．v91と第1スイッチ部252の連結と同じく連結される。この時、第1電圧は第2電圧より高い電圧を持つ。そして、第1バス線v11、v21．．．v91に連結されたトランジスタと第2バス線v12、v22．．．v92に連結されたトランジスタは、データ信号の最上位ビットの信号の伝達を受けて動作し、第1バス線v11、v21．．．v91に連結されたトランジスタと第2バス線v12、v22．．．v92に連結されたトランジスタは互いに反対に動作するようになる。
【００３０】
したがって、最上位ビットが1ならデータ信号の階調は128から256階調の間であると判断し、奇数番目トランジスタがオン状態になって第1バス線v11、v21．．．v91を選択するようにして、最上位ビットが0ならデータ信号の階調は0から127階調以下になって偶数番目トランジスタがオン状態になって第2バス線v12、v22．．．v92を選択するようにする。
【００３１】
すなわち、トランジスタによって第1バス線v11、v21．．．v91と第2バス線v12、v22．．．v92の中で一つのバス線が選択される。そして、奇数番目トランジスタは順次に最も高い電圧から低い電圧順に第2スイッチ部254に伝達して、偶数番目トランジスタは最も低い電圧を第2スイッチ部254に伝達する。
【００３２】
そして、第2スイッチ部253は第1デコーダ251から生成された第1選択信号によってスイッチング動作を遂行して、16個のトランジスタが第1スイッチ部252から伝達された信号を第1選択信号によって選択的に出力して階調電圧生成部255に伝達する。この時、第2デコーダ254の一つの出力端に第2スイッチ部253の二つのトランジスタが連結されて第2スイッチ部253は第1バス線v11、v21．．．v91と第2バス線v12、v22．．．v92の中で第1スイッチ部252によって選択された一つのバス線から二つの電圧を出力して第1基準電圧と第2基準電圧を選択する。第1基準電圧は第1選択信号によって変化して第2基準電圧は第1バス線を通じて伝達される最も低い電圧になる。
【００３３】
第2デコーダ254は、データ信号の下位4ビットの伝達を受けて16ビットの第2選択信号を生成する。そして、階調電圧生成部266は16個の抵抗が直列連結されて両端に第2スイッチ部253によって選択された第1基準電圧と第2基準電圧が伝達されて16個の抵抗によって16個の階調電圧が生成される。そして、第2選択信号の伝達を受けて16個の階調電圧の中で一つの階調電圧を選択して出力する。したがって、データ信号の最上位ビットと第1選択信号と第2選択信号によって総256個の階調電圧が生成される。
【００３４】
図５は、有機電界発光表示装置に採用された画素の一例を示す回路図である。
図５を参照して説明すれば、画素はデータ線Dm、走査線Sn及び画素電源線ELVddに連結されて第1トランジスタM1、第2トランジスタM2、キャパシタCst及び有機電界発光素子OLEDを含む。
【００３５】
第1トランジスタM1は、ソースは画素電源線ELVddに連結されてドレインは第3トランジスタM3のソースに連結されてゲートは第1ノードNに連結される。
【００３６】
第2トランジスタM2は、ソースはデータ線Dmに連結されてドレインは第1ノードN1に連結されてゲートは走査線Snに連結される。
【００３７】
キャパシタCstは、第1ノードN1と画素電源線ELVdd間に連結されて所定時間の間第1ノードN1と画素電源線ELVdd間の電圧を維持させる。
【００３８】
有機発光素子OLEDは、アノード電極とカソード電極及び発光層を含んでアノード電極が第1トランジスタM1のドレインに連結されてカソード電極が低電位の電源ELVSSに連結されて第1トランジスタM1のゲートに印加される電圧に対応して有機電界発光素子OLEDアノード電極からカソード電極へ電流が流れれば、発光層から光を発光して電流の量に対応して明るさが調節される。
【００３９】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００４０】
【図１】本発明による有機電界発光表示装置の構造を示す構造図である。
【図２】一般的なD/Aコンバータで階調電圧を生成する抵抗部を示す回路図である。
【図３】図２に示された有機電界発光表示装置で採用されたデータ駆動部を示す構造図である。
【図４】本発明によるD/Aコンバータの構造を示す構造図である。
【図５】図２に示された有機電界発光表示装置に採用された画素の一例を示す回路図である。
【符号の説明】
【００４１】
２００  データ駆動部
２１０  シフトレジスタ
２２０  サンプリングラッチ
２３０  ホルディングラッチ
２４０  レベルシフタ
２５０  D/Aコンバータ
２６０  バッファー部
【図１】
2007323038.tif 000003
【図２】
2007323038.tif 000004
【図３】
2007323038.tif 000005
【図４】
2007323038.tif 000006
【図５】
2007323038.tif 000007